(57)【要約】【課題】燃料電池用改質装置における熱効率を向上する技術を提供する。【解決手段】原燃料を水素リッチな改質ガスに改質する燃料電池用改質装置において、改質部１２は、原燃料から改質ガスを生成する。改質反応筒１８は、改質部１２とシフト変成部１４と選択酸化部１６とをこの順番に直線状に収納するとともに、改質部１２が収納されている一端側に凹部１２０が形成されている。外筒２２は、改質反応筒１８の外周に配置され、改質反応筒１８より径が大きい。バーナ２０は、凹部１２０と対向する燃焼室３０に配置され、原燃料を燃焼して燃焼排ガスを生成する。加熱流路３２は、燃焼排ガスが凹部１２０の周囲に設けられている改質部１２の凹部側および外筒側を加熱しながら通過する。加熱流路３２の折り返し部１２８は、凹部１２０の内側から改質反応筒１８の外周側に向かって折り返されている。【選択図】図１
2009084077.tif 000002
【特許請求の範囲】
【請求項１】
原燃料を水素リッチな改質ガスに改質する燃料電池用改質装置であって、
原燃料から改質ガスを生成する改質部と、
前記改質ガスに含まれる一酸化炭素をシフト反応により低減するシフト変成部と、
前記シフト変成部を通過した改質ガスに含まれる一酸化炭素を選択酸化して低減する選択酸化部と、
前記改質部と前記シフト変成部と前記選択酸化部とをこの順番に直線状に収納するとともに、前記改質部が収納されている一端側に凹部が形成されている改質反応筒と、
前記改質反応筒の外周に配置され、該改質反応筒より径が大きい外筒と、
前記凹部と対向する燃焼室に配置され、原燃料を燃焼して燃焼排ガスを生成する燃焼手段と、
前記燃焼排ガスが前記凹部の周囲に設けられている改質部の凹部側および外筒側を加熱しながら通過する加熱流路と、
を備えることを特徴とする燃料電池用改質装置。
【請求項２】
前記加熱流路は、前記凹部の内側から前記改質反応筒の外周側に向かって折り返されている折り返し部を有することを特徴とする請求項１に記載の燃料電池用改質装置。
【請求項３】
前記改質部は、ガスの流れが前記凹部の側面に沿って燃焼室側へ向かうとともに前記改質反応筒の内面に沿ってシフト変成部側へ向かう折り返し流路を有することを特徴とする請求項１または２に記載の燃料電池用改質装置。
【請求項４】
前記改質反応筒は、前記改質部に水蒸気を供給するために前記燃焼排ガスによる加熱により水が気化される水蒸気供給路を収納し、
前記水蒸気供給路は、少なくとも一部が前記改質反応筒の内面に接するように配置されていることを特徴とする請求項１乃至３のいずれかに記載の燃料電池用改質装置。
【請求項５】
前記水蒸気供給路は、コイル状に形成された環状部を有し、前記環状部の少なくとも一部が前記改質反応筒の内面に接するように配置されていることを特徴とする請求項４に記載の燃料電池用改質装置。
【請求項６】
前記選択酸化部は、前記水蒸気供給路が通過している領域以外の領域に、前記改質ガスの流れの抵抗となる抵抗部材が設けられていることを特徴とする請求項４または５に記載の燃料電池用改質装置。
【請求項７】
前記シフト変成部は、前記水蒸気供給路が通過している領域以外の領域に、前記改質ガスの流れの抵抗となる抵抗部材が設けられていることを特徴とする請求項４乃至６のいずれかに記載の燃料電池用改質装置。
【請求項８】
前記改質反応筒は、前記改質ガスの流れを前記水蒸気供給路に向かう流れに変化させる整流部材を内部に備えていることを特徴とする請求項４乃至７のいずれかに記載の燃料電池用改質装置。
【請求項９】
前記加熱流路は、前記燃焼排ガスが改質部側から選択酸化部側に向かって通過するように形成されていることを特徴とする請求項１乃至８のいずれかに記載の燃料電池用改質装置。
【発明の詳細な説明】
【技術分野】
【０００１】
本発明は、原燃料を、燃料電池システムにおいて使用される改質ガスに改質する燃料電池用改質装置に関する。
【背景技術】
【０００２】
固体高分子形燃料電池は、水素が有する化学エネルギーを電気エネルギーに変換して電力を発生する。実用的には、固体高分子形燃料電池の燃料となる水素は、比較的容易かつ安価に入手可能な天然ガス、ナフサ等の炭化水素系ガスまたはメタノール等のアルコール類の原燃料ガスと水蒸気とを混合して、改質器で改質することで得ている。改質により得られた水素ガスは燃料電池の燃料極に供給され、発電に用いられる。
【０００３】
一般に、改質器は、水蒸気による原燃料ガスの改質反応に必要な熱を供給するためのバーナを備える。バーナで燃料を燃焼させて生じた燃焼ガスを、燃焼筒から改質反応部の近傍に設けられた経路に導くことにより、燃焼ガスの熱エネルギーが改質反応に利用される（例えば、特許文献１、２参照）。
【特許文献１】特開２００７−１５９１１号公報
【特許文献２】特表２００３−７８３１１号公報
【発明の開示】
【発明が解決しようとする課題】
【０００４】
しかしながら、特許文献１、２記載の改質器は、バーナで燃料を燃焼して発生した燃焼排ガスを改質部の内側に流すことで、燃焼排ガスの熱エネルギーを高温の水蒸気の生成や改質部の反応に用いているが、改質部の内側以外には燃焼排ガスが流れていない。そのため、熱効率の更なる向上の余地がある。また、改質部により生成された改質ガスに含まれている一酸化炭素を低減するための一酸化炭素変成部や一酸化炭素除去部が、改質部を備えている流路の更に外側に配置されているため、流路が複雑となっている。その結果、改質部の径が大径化してしまうとともに、改質装置全体の複雑化、大型化を招く一因となっている。
【０００５】
本発明はこうした状況に鑑みてなされたものであり、その目的とするところは、燃料電池用改質装置における熱効率を向上する技術を提供することにある。
【課題を解決するための手段】
【０００６】
上記課題を解決するために、本発明のある態様の燃料電池用改質装置は、原燃料を水素リッチな改質ガスに改質する燃料電池用改質装置であって、原燃料から改質ガスを生成する改質部と、改質ガスに含まれる一酸化炭素をシフト反応により低減するシフト変成部と、シフト変成部を通過した改質ガスに含まれる一酸化炭素を選択酸化して低減する選択酸化部と、改質部とシフト変成部と選択酸化部とをこの順番に直線状に収納するとともに、改質部が収納されている一端側に凹部が形成されている改質反応筒と、改質反応筒の外周に配置され、該改質反応筒より径が大きい外筒と、凹部と対向する燃焼室に配置され、原燃料を燃焼して燃焼排ガスを生成する燃焼手段と、燃焼排ガスが凹部の周囲に設けられている改質部の凹部側および外筒側を加熱しながら通過する加熱流路と、を備える。
【０００７】
この態様によると、加熱流路を通過する燃焼排ガスにより改質部の凹部側および外筒側が加熱されるため、改質部で必要な熱が効率よく供給される。
【発明の効果】
【０００８】
本発明によれば、燃料電池用改質装置における熱効率を向上することができる。
【発明を実施するための最良の形態】
【０００９】
以下、図面を参照しながら、本発明を実施するための最良の形態について詳細に説明する。なお、図面の説明において同一の要素には同一の符号を付し、重複する説明を適宜省略する。また、説明の都合上、図の上下左右と対応させて各部材間の位置関係を説明するが、あくまでも相対的な位置関係でありこれに限定されるものではない。例えば、上下を反転した態様にすることも可能である。
【００１０】
図１は、本実施の形態に係る燃料電池用改質装置１０の構成を示す断面図である。燃料電池用改質装置１０は、原燃料であるメタンやプロパン、ブタン等を水蒸気改質により水素リッチな改質ガスを生成する。
【００１１】
燃料電池用改質装置１０は、原燃料から改質ガスを生成する改質部１２と、改質ガスに含まれる一酸化炭素をシフト反応により低減するシフト変成部１４と、シフト変成部１４を通過した改質ガスに含まれる一酸化炭素を選択酸化反応により選択酸化し低減する選択酸化部１６と、改質部１２とシフト変成部１４と選択酸化部１６とをこの順番に直線状に収納するとともに、改質部１２が収納されている一端側に凹部１２０が形成されている改質反応筒１８と、原燃料を燃焼して燃焼排ガスを生成する燃焼手段としてのバーナ２０と、改質反応筒１８の外周に同軸に配置され、改質反応筒１８より径が大きい外筒２２と、を備える。外筒２２の周囲は、複数の配管が外部と連通している箇所を除いて断熱材２４で覆われている。
【００１２】
バーナ２０は、空気取入口２６から取り入れた空気と燃料取入口２８から取り入れた原燃料オフガスとを混合して燃焼させる。バーナ２０で原燃料ガスが燃焼することによって、１２００〜１３００℃の高温の燃焼排ガスが発生する。バーナ２０は、改質反応筒１８の改質部１２側の一端部に形成された凹部１２０と対向する燃焼室３０に配置されているとともに、外筒２２の下部に固定されている。これにより、バーナ２０で生成された燃焼排ガスの熱をすぐに改質部１２における改質反応に用いることができるので、熱効率を向上することができる。
【００１３】
改質反応筒１８と外筒２２との間には、改質反応筒１８を加熱するために前述の燃焼排ガスが通過する加熱流路３２が形成されている。
【００１４】
改質部１２は、改質反応筒１８の底部に設けられている改質反応筒１８より外径の小さいケース３４と、ケース３４の下部の内周部に収納された、ニッケルやルテニウム等の金属粒子をアルミナに担持した改質触媒を含む触媒層３６とを有する。本実施の形態に係る触媒層３６は、凹部１２０の外周部を囲むような環状の部材である。
【００１５】
ケース３４の上面には、原燃料と水蒸気とが混合された状態で流入する開口部３８が形成されている。また、ケース３４は、触媒層３６の下部側面から改質ガスが通過できるように、側面に通気口１２２が設けられている。
【００１６】
原燃料は、原燃料供給路４０を経由して燃料電池用改質装置１０の外部から改質部１２の触媒層３６に供給される。この際、原燃料は、加熱流路３２を流れる燃料排ガスや改質反応筒１８の内部の改質ガスにより昇温させられるとともに、改質ガスの温度を低下させる。
【００１７】
また、改質部１２における改質反応に必要な水蒸気は、水蒸気供給路４２を経由して燃料電池用改質装置１０の外部から供給された改質水から生成される。外部から供給された液体である改質水は、燃焼排ガスや改質反応筒１８の内部で昇温されている改質ガスにより気化され、水蒸気として触媒層３６に供給されるとともに、シフト変成部１４や選択酸化部１６の温度を低下させる。
【００１８】
本実施の形態に係る燃料電池用改質装置１０において、原燃料供給路４０は、水蒸気供給路４２と、水蒸気供給路４２において通過する水が気化される箇所より上流側の合流部１１４で合流している。水蒸気供給路４２は、外筒２２および改質反応筒１８の内部において、その一部が螺旋状に巻かれたコイル形状を有しており、表面積が増すことで水が気化し易くなっているため、少なくともコイルの下端では水蒸気が生成されている。
【００１９】
これにより、燃焼排ガスの加熱による原燃料の昇温と水の気化とが水蒸気供給路４２で一緒に行われるため、原燃料供給路４０を短くすることができる。
【００２０】
また、原燃料供給路４０は、改質反応筒１８の外側の領域で水蒸気供給路４２と合流しているため、改質反応筒１８の内部に原燃料供給路４０を水蒸気供給路４２とは別に設ける必要がなくなる。そのため、改質反応筒１８やそれを含む燃料電池用改質装置１０の製造が容易となる。
【００２１】
水蒸気供給路４２は、少なくとも一部が改質反応筒１８の内面に接するようにコイル状に形成された環状部１２４を有している。これにより、水蒸気供給路４２は、改質反応筒１８の外側の加熱流路３２を通過する燃焼排ガスから改質反応筒１８を介して効率よく熱が供給され、水が水蒸気に気化され易くなる。特に、コイル状に形成された環状部１２４を改質反応筒１８の内面に接触させることで、水蒸気供給路４２と改質反応筒１８との接触面積を改質反応筒１８の長さを長くすることなくより大きくすることができ、原燃料や改質水と燃焼排ガスとの熱交換効率を向上することができる。
【００２２】
シフト変成部１４は、例えば、酸化銅や酸化亜鉛のペレットからなる触媒層４６と、触媒層４６を担持するとともに下方から上方へ改質ガスが透過するように孔が形成されている仕切り板４８とを有する。シフト変成部１４は、触媒層４６の働きにより改質ガスに含まれる水蒸気を用いたシフト反応により一酸化炭素を低減することができる。
【００２３】
選択酸化部１６は、例えば、アルミナで担持した一酸化炭素選択酸化触媒からなる触媒層５０と、触媒層５０を担持するとともに下方から上方へ改質ガスが透過するように孔が形成されている仕切り板５２とを有する。選択酸化部１６では、触媒層５０の働きにより酸素で一酸化炭素を酸化し二酸化炭素にすることで、一酸化炭素の濃度が更に低減される。
【００２４】
本実施の形態に係る選択酸化部１６は、水蒸気供給路４２が通過している領域Ａ以外の領域に、改質ガスの流れの抵抗となる抵抗部材１２６が設けられている。これにより、燃焼排ガスで加熱されている改質ガスは、選択酸化部１６を通過する水蒸気供給路４２のコイルに向かって流れやすくなり、水蒸気供給路４２の内部の水、あるいは、水蒸気に熱を供給しやすくなる。抵抗部材１２６としては、改質ガスの流れを完全に遮断する部材であるとよい。これにより、改質ガスは、選択酸化部１６の触媒層５０へ導入される。なお、シフト変成部１４に前述のような抵抗部材を設けても同様の効果を得ることができる。
【００２５】
シフト変成部１４と選択酸化部１６との間の領域には、選択酸化部１６で消費される酸素を供給するために、燃料電池用改質装置１０の外部と連通している空気供給路５４の先端部５６が配置されている。これにより、先端部５６から流入する空気は、シフト変成部１４で一酸化炭素が低減された改質ガスとともに上昇し、選択酸化部１６における反応に寄与する。
【００２６】
選択酸化部１６の上方の、改質反応筒１８の上面には、開口部５８が形成されている。開口部５８には、一酸化炭素が十分低減された改質ガスを不図示の燃料電池の燃料極へ送出する改質ガス送出管６０が接続されている。
【００２７】
本実施の形態に係る加熱流路３２は、バーナ２０の上方に位置する入口側に折り返し部１２８を有している。折り返し部１２８は、燃焼排ガスが凹部１２０の周囲に設けられている改質部１２の触媒層３６の凹部側および外筒側を加熱しながら通過するように、凹部１２０の内側から改質反応筒１８の外周側に向かって折り返されている。したがって、加熱流路３２を通過する燃焼排ガスにより改質部１２の凹部側および外筒側が加熱されるため、改質部１２で必要な熱が効率よく供給される。
【００２８】
また、改質部１２においては、開口部３８からケース３４に流入した水蒸気と原燃料との混合ガスが触媒層３６を下方に通過しながら改質ガスとして通気口１２２から排出される。排出された改質ガスは、改質反応筒１８とケース３４との間の隙間を上方に向かって流れる。つまり、改質部１２は、ガスの流れが凹部１２０の側面に沿って触媒層３６の内部を燃焼室３０側へ向かうとともに改質反応筒１８の内面に沿ってシフト変成部１４側へ向かう折り返し流路１３０を有していることになる。
【００２９】
次に、本実施の形態に係る燃料電池用改質装置１０の動作について説明する。バーナ２０で生成された燃焼排ガスは、改質反応筒１８の下面の凹部１２０から加熱流路３２に流入し、触媒層３６の凹部１２０側の側面を加熱しながら折り返し部１２８で方向を変えて、加熱流路３２を上昇しながら触媒層３６の外筒側も加熱する。この際、触媒層３６は、改質反応筒１８を介して改質反応に必要な温度、例えば、６００〜７００℃の範囲に加熱される。また、水蒸気供給路４２は、直接的または改質反応筒１８を介して間接的に燃料排ガスにより加熱され、内部を通る改質水が気化される。一方、燃料排ガスは、加熱流路３２を上昇するに従い水蒸気供給路４２により冷却され徐々に温度が低下する。なお、加熱流路３２を通過した燃焼排ガスは、外筒２２の上部に形成された排出口６２から外部へ排出される。
【００３０】
原燃料供給路４０は合流部１１４で水蒸気供給路４２と合流しており、改質水と原燃料は、混合状態で水蒸気供給路４２において気化、昇温されながらケース３４の内部を下方に送り出される。本実施の形態に係る水蒸気供給路４２は、改質反応筒１８の内周面と接している環状部１２４を有するため、より効率よく改質水を気化し水蒸気を生成することができる。水蒸気を含む原燃料ガスは、触媒層３６の内部を通過する際に燃焼排ガスの熱により徐々に加熱され、改質反応により水素リッチな改質ガスに変化する。
【００３１】
原燃料ガスを改質することにより得られた改質ガスは、供給される原燃料ガスの流れによって改質反応筒１８の内部を上昇し、シフト変成部１４に到達する。ここで、改質部１２における改質反応は吸熱反応であるため、水蒸気供給路４２の熱回収により温度が低下した改質ガスがシフト変成部１４に到達することになる。シフト変成部１４におけるシフト反応は、例えば、２００〜３００℃の範囲で行われ、水蒸気供給路４２の熱回収で熱バランスをとっているので、特段の温度制御をしなくても適度な温度を維持することが可能である。これにより、改質ガスはシフト変成部１４において一酸化炭素が低減される。
【００３２】
なお、シフト変成部１４における温度が適温とならない装置の場合、バーナ２０での原燃料の燃料量を調整したり、シフト変成部１４近傍の水蒸気供給路４２のコイルの巻き数を増減させたりすることで調整可能である。
【００３３】
シフト変成部１４で一酸化炭素が低減された改質ガスは更に、供給される原燃料ガスの流れによって改質反応筒１８の内部を整流板６４に流れを規制されながら上昇し、選択酸化部１６に到達する。その際、空気供給路５４から供給された空気も改質反応筒１８内を上昇し、選択酸化部１６に到達する。整流板６４は、シフト変成部１４と選択酸化部１６との間の空間に、改質ガスの流れを水蒸気供給路４２に向かう流れに変化させる。つまり、改質反応筒１８の内部を流れる改質ガスの流れを水蒸気供給路４２に向けて変化させることで、水蒸気供給路４２の内部を流れる改質水や原燃料ガスと、改質ガスとの熱交換が効率よく行われる。
【００３４】
選択酸化部１６は、水蒸気供給路４２の流入口６６近傍に配置されているため、改質ガスの温度は改質水による冷却によりシフト変成部１４における改質ガスの温度より低温となっている。選択酸化部１６における選択酸化反応は、シフト変成部１４におけるシフト反応より低温な、例えば、７０〜２００℃の範囲で行われ、水蒸気供給路４２の熱回収で熱バランスをとっているので、特段の温度制御をしなくても改質ガスを適度な温度に維持することが可能である。これにより、改質ガスは選択酸化部１６において更に一酸化炭素が低減される。
【００３５】
上述のように、燃料電池用改質装置１０は、改質部１２とシフト変成部１４と選択酸化部１６とがこの順番に一つの改質反応筒１８に収納されているため、複雑な形状の流路を形成することなく、改質ガスに含まれる一酸化炭素を低減することができる。また、改質反応筒１８と外筒２２との間の加熱流路３２を燃焼排ガスが通過するので、改質反応筒１８の内部の改質部１２における改質反応に必要な熱を供給することができ、ヒータ等の加熱手段が不要となる。また、改質反応筒１８と外筒２２との間を加熱流路３２とすることで、折り返しや多くの筒を要する流路を必要とせずに簡素な構成で燃料電池用改質装置１０を実現することができる。
【００３６】
換言すると、本実施の形態に係る燃料電池用改質装置１０においては、折り返しや多くの筒を要する流路が設けられていないため、部品点数の低減や製造工程の簡素化によりコストが低減される。また、外筒２２の外周部を断熱材２４で覆うことで装置全体の断熱性を容易に確保することができるので、断熱材２４を装着する際の工程を簡素化することができる。
【００３７】
また、加熱流路３２は、燃焼排ガスが改質部１２側から選択酸化部１６側に向かって通過するように形成されているので、燃焼排ガスは、改質反応筒１８や水蒸気供給路４２と熱交換をしながら徐々に温度が低下する。そのため、燃焼排ガスは、反応温度が高い改質部１２から反応温度の低い選択酸化部１６へと適度に温度が低下しながら加熱流路３２の内部を通過することになる。そのため、加熱流路３２を直線的に形成することが可能となる。
【００３８】
以上、本発明を上述の実施の形態を参照して説明したが、これは例示であり、本発明は上述の実施の形態に限定されるものではなく、実施の形態の構成を適宜組み合わせたものや置換したものについても本発明に含まれるものである。また、当業者の知識に基づいて各種の設計変更等の変形を実施の形態に対して加えることも可能であり、そのような変形が加えられた実施の形態も本発明の範囲に含まれうる。
【００３９】
例えば、燃料電池用改質装置１０において、原燃料供給路４０は、水蒸気供給路４２において通過する水が気化される箇所より下流側の合流部で水蒸気供給路４２と合流するように構成してもよい。このように、燃焼排ガスの加熱による原燃料の昇温と水の気化とが別々の原燃料供給路４０および水蒸気供給路４２で行われた後に原燃料と水蒸気とが合流することで、各供給路における原燃料の昇温や水の気化による水蒸気の供給の制御が容易となる。
【００４０】
上述の燃料電池用改質装置は、ガスと水との熱交換部において、ガス側の伝熱を促進させるために、ガス側通路にアルミナボールやマクマホンパッキン等の拡散により伝熱性を上げる物を充填してもよい。例えば、改質部１２とシフト変成部１４との間、シフト変成部１４と選択酸化部１６との間、選択酸化部１６の上部、水蒸気供給路４２の入口側における燃焼排ガスとの熱交換部、等に伝熱促進物が充填されていてもよい。
【００４１】
また、コイル状の環状部１２４は、水蒸気供給路４２の全領域に設けられていてもよいし、部分的に、断続的に設けられていてもよく、装置全体の熱効率や熱収支を考慮して設計すればよい。
【００４２】
また、上述の燃料電池用改質装置に用いられる原燃料としては、例示されているメタンやプロパン、ブタン等に限られるものではない。例えば、天然ガス、プロパン・ブタンを主成分とするＬＰＧ、ナフサ、灯油等の炭化水素や、メタノール、エタノール等のアルコール類や、ジメチルエーテル等のエーテル類、等を、原燃料として用いてもよい。
【図面の簡単な説明】
【００４３】
【図１】本実施の形態に係る燃料電池用改質装置の構成を示す断面図である。
【符号の説明】
【００４４】
１０  燃料電池用改質装置、  １２  改質部、  １４  シフト変成部、  １６  選択酸化部、  １８  改質反応筒、  ２０  バーナ、  ２２  外筒、  ３０  燃焼室、  ３２  加熱流路、  ３６  触媒層、  ４２  水蒸気供給路、  ６４  整流板、  １２０  凹部、  １２２  通気口、  １２４  環状部、  １２６  抵抗部材、  １２８  折り返し部、  １３０  折り返し流路。  
【図１】
2009084077.tif 000003